Podtech/llm-jp-corpus-v4-ja_patent huggingface dataset:
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
前記有利状態に制御するか否かを決定する決定手段と、
前記決定手段の決定結果にもとづいて、リーチ演出を実行するリーチ演出実行手段と、
前記有利状態に制御される可能性を報知する予告演出として１段階から複数段階の予告ステップより成るステップアップ予告演出を実行する予告演出実行手段と、
遊技者に価値を付与する価値付与手段と、を備え
前記リーチ演出は、導出表示される識別情報の候補の画像と所定演出を示唆する所定演出示唆画像とが表示される特別リーチ演出を含み、
前記特別リーチ演出が実行された後、表示結果が導出表示される前に前記所定演出を実行する所定演出実行手段をさらに備え、
前記価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で価値を付与可能であり、
可変表示の態様は、仮停止した後に再度可変表示を実行する態様を含み、
前記所定演出示唆画像は、再度可変表示が実行されることを示唆する再可変表示示唆画像を含み、
前記特別リーチ演出において表示される前記所定演出示唆画像の組合せは複数種類ある、
ことを特徴とする遊技機。
【手続補正２】
【補正対象書類名】明細書
【補正対象項目名】０００１
【補正方法】変更
【補正の内容】
【０００１】
本発明は、識別情報の可変表示を行い、遊技者にとって有利な有利状態に制御可能なパチンコ機やスロット機などの遊技機に関する。
【手続補正３】
【補正対象書類名】明細書
【補正対象項目名】００１１
【補正方法】変更
【補正の内容】
【００１１】
（Ａ）本発明による遊技機は、識別情報（例えば、特別図柄）の可変表示を行い、遊技者にとって有利な有利状態（例えば、大当り遊技状態）に制御可能な遊技機であって、有利状態に制御するか否かを決定する決定手段と、決定手段の決定結果にもとづいて、リーチ演出を実行するリーチ演出実行手段（例えば、演出制御用マイクロコンピュータ１００において、ステップＳ８３１〜Ｓ８３３，Ｓ８４１〜Ｓ８４３の処理を実行する部分）と、有利状態に制御される可能性を報知する予告演出として１段階から複数段階の予告ステップより成るステップアップ予告演出を実行する予告演出実行手段と、遊技者に価値を付与する価値付与手段と、を備え、リーチ演出は、導出表示される識別情報の候補の画像（例えば、左右の停止図柄と同じ図柄と、左右の停止図柄よりも数字が１つ多い図柄：図４０（Ｃ）参照）と所定演出を示唆する所定演出示唆画像（例えば、キャラクタ図柄９ｂ，９ｃ：図４０（Ｃ）参照）とが表示される特別リーチ演出を含み（例えば、図４０（Ｃ）に示す演出）、特別リーチ演出が実行された後、表示結果が導出表示される前に所定演出を実行する所定演出実行手段（例えば、演出制御用マイクロコンピュータ１００において、ステップＳ８２５の処理の結果にもとづいてステップＳ８３１〜Ｓ８３３，Ｓ８４１〜Ｓ８４３の処理を実行する部分）をさらに備え、価値付与手段は、所定演出実行手段により所定演出が実行されてから有利状態に制御されたときと、特別リーチ演出が実行された後所定演出が実行されずに有利状態に制御されたときとで、異なる割合で価値を付与可能であり、可変表示の態様は、仮停止した後に再度可変表示を実行する態様を含み、所定演出示唆画像は、再度可変表示が実行されることを示唆する再可変表示示唆画像を含み、特別リーチ演出において表示される所定演出示唆画像の組合せは複数種類ある、ことを特徴とする。
そのような構成によれば、より遊技者に注目させることができる。
（１）本発明による他の遊技機は、識別情報（例えば、特別図柄）の可変表示を行い、特定表示結果（例えば、大当り図柄）が導出表示されたときに遊技者にとって有利な有利状態（例えば、大当り遊技状態）に制御する遊技機であって、有利状態に制御するか否かを決定する決定手段と、決定手段の決定結果にもとづいて、リーチ演出を実行するリーチ演出実行手段（例えば、演出制御用マイクロコンピュータ１００において、ステップＳ８３１〜Ｓ８３３，Ｓ８４１〜Ｓ８４３の処理を実行する部分）と、有利状態に制御される可能性を報知する予告演出として１段階から複数段階の予告ステップより成るステップアップ予告演出を実行する予告演出実行手段と、ステップアップ予告演出が実行される前に該ステップアップ予告演出の各予告ステップにおいて実行され得る予告態様を表示する予告態様事前表示手段と、を備え、リーチ演出は、導出表示される識別情報の候補の画像（例えば、左右の停止図柄と同じ図柄と、左右の停止図柄よりも数字が１つ多い図柄：図４０（Ｃ）参照）と所定演出を示唆する所定演出示唆画像（例えば、キャラクタ図柄９ｂ，９ｃ：図４０（Ｃ）参照）とが表示される特別リーチ演出を含み（例えば、図４０（Ｃ）に示す演出）、特別リーチ演出が実行された後、表示結果が導出表示される前に所定演出を実行する所定演出実行手段（例えば、演出制御用マイクロコンピュータ１００において、ステップＳ８２５の処理の結果にもとづいてステップＳ８３１〜Ｓ８３３，Ｓ８４１〜Ｓ８４３の処理を実行する部分）をさらに備え、可変表示の態様は、仮停止した後に再度可変表示を実行する態様を含み、所定演出示唆画像は、再度可変表示が実行されることを示唆する再可変表示示唆画像を含み、特別リーチ演出が実行された後に所定演出が実行されるか否かに応じて有利状態に制御される割合が異なる、ことを特徴とする。
そのような構成によれば、より遊技者に注目させることができる。
なお、特別リーチ演出において表示される所定演出示唆画像の組合せに応じて異なる割合により所定演出を実行するようにしてもよい。
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
遊技球を発射可能な遊技球発射手段と、
遊技者が操作可能な発射操作手段と、
前記発射操作手段への操作に応じて前記遊技球発射手段による遊技球の発射を制御可能な発射制御回路と、
電源を少なくとも所定電圧の電力に変換して供給可能な電圧変換供給手段と、を備える遊技機において、
前記電圧変換供給手段から当該電圧変換供給手段と前記発射制御回路との間に設けられている分岐部分までの共通電力ラインと、
前記分岐部分から前記発射制御回路までの第１電力ラインと、
前記分岐部分から前記発射操作手段までの第２電力ラインと、を備え、
前記共通電力ラインと前記第１電力ラインと前記第２電力ラインとは、前記電圧変換供給手段から供給される所定電圧の電力を流すことが可能なものであり、
前記第１電力ラインとグランドとの間又は前記第２電力ラインとグランドとの間に、コンデンサを含むノイズ除去手段が配されていて、
前記ノイズ除去手段は、
高周波ノイズを除去することが可能であると共に、前記所定電圧を超える超過電圧が印可された場合に前記コンデンサの方へ電流を流すことにより前記発射制御回路の方へ流れる電流を減らすことが可能であることを特徴とする遊技機。
【手続補正２】
【補正対象書類名】明細書
【補正対象項目名】０００８
【補正方法】変更
【補正の内容】
【０００８】
本発明に係る遊技機は、
遊技球を発射可能な遊技球発射手段（発射ユニット１８０）と、
遊技者が操作可能な発射操作手段（ハンドル本体１７０）と、
前記発射操作手段への操作に応じて前記遊技球発射手段による遊技球の発射を制御可能な発射制御回路（発射制御回路１４１）と、
電源（ＡＣ２４Ｖの電力）を少なくとも所定電圧（ＤＣ５Ｖ）の電力に変換して供給可能な電圧変換供給手段（整流回路と電圧変換手段を備える電源基板２００）と、を備える遊技機（パチンコ遊技機１）において、
前記電圧変換供給手段から当該電圧変換供給手段と前記発射制御回路との間に設けられている分岐部分（分岐部分Ｊ１）までの共通電力ライン（ハーネスＨ１のうちＤＣ５Ｖの電力が流れる配線と配線ＲＲ）と、
前記分岐部分から前記発射制御回路までの第１電力ライン（配線Ｒ１）と、
前記分岐部分から前記発射操作手段までの第２電力ライン（配線Ｒ２とハーネスＨ２，Ｈ３，Ｈ４，Ｈ６のうちＤＣ５Ｖの電力が流れる配線）と、を備え、
前記共通電力ラインと前記第１電力ラインと前記第２電力ラインとは、前記電圧変換供給手段から供給される所定電圧の電力を流すことが可能なものであり、
前記第１電力ラインとグランド（グランドＧ）との間又は前記第２電力ラインとグランドとの間に、コンデンサを含むノイズ除去手段（第１フィルタＦ１，第２フィルタＦ２，図４参照）が配されていて、
前記ノイズ除去手段は、
高周波ノイズを除去することが可能であると共に、前記所定電圧を超える超過電圧が印可された場合に前記コンデンサの方へ電流を流すことにより前記発射制御回路の方へ流れる電流を減らすことが可能であることを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明によれば、発射制御回路の故障を生じ難くさせることが可能である。
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
前記遊技領域が前面側に設けられた板状の遊技パネルと、
前記遊技パネルの後側に配置され、該遊技パネルに形成された所定の開口から所定の表示を表示可能な表示パネルを有した演出表示手段と、
前記遊技領域内の所定位置に配置され、遊技媒体を受入可能とされた始動口と、
前記始動口への遊技媒体の受入れに応じて当落を抽選する抽選手段と、
前記抽選手段による抽選を所定時期まで保留する保留手段と、
前記抽選に関する演出を制御する演出制御手段と、
前記遊技パネルと前記演出表示手段との間に配置され、前記演出表示手段の少なくとも一部を被覆するように動作可能な可動体と、を備えた遊技機において、
前記演出制御手段は、
前記保留手段に保留されている前記抽選を遊技者に認識させるとともに、前記抽選の結果に対する期待度を示唆可能な第１保留表示を表示する第１保留表示手段と、
前記第１保留表示とは別に、前記保留手段に保留されている前記抽選を遊技者に認識させる第２保留表示を表示する第２保留表示手段とを有し、
前記第１保留表示は、前記可動体の動作によって視認困難とされる場合があるが、前記第２保留表示は、前記可動体の動作によって視認困難とされる場合がないものであり、
前記第２保留表示は、前記第１保留表示が表示されていない箇所において、前記第１保留表示とは異なる大きさで表示されるものであり、前記第１保留表示が前記可動体の動作によって視認困難とされても、前記保留手段に保留されている前記抽選の数を前記第２保留表示によって遊技者に通知可能にしたものであり、
さらに、前記可動体は、前記第１保留表示として表示される複数の表示物を視認困難にするものである
ことを特徴とする遊技機。
【手続補正２】
【補正対象書類名】明細書
【補正対象項目名】００１０
【補正方法】変更
【補正の内容】
【００１０】
請求項１に係る遊技機は、
遊技者の操作によって遊技媒体が打ち込まれる遊技領域と、
前記遊技領域が前面側に設けられた板状の遊技パネルと、
前記遊技パネルの後側に配置され、該遊技パネルに形成された所定の開口から所定の表示を表示可能な表示パネルを有した演出表示手段と、
前記遊技領域内の所定位置に配置され、遊技媒体を受入可能とされた始動口と、
前記始動口への遊技媒体の受入れに応じて当落を抽選する抽選手段と、
前記抽選手段による抽選を所定時期まで保留する保留手段と、
前記抽選に関する演出を制御する演出制御手段と、
前記遊技パネルと前記演出表示手段との間に配置され、前記演出表示手段の少なくとも一部を被覆するように動作可能な可動体と、を備えた遊技機において、
前記演出制御手段は、
前記保留手段に保留されている前記抽選を遊技者に認識させるとともに、前記抽選の結果に対する期待度を示唆可能な第１保留表示を表示する第１保留表示手段と、
前記第１保留表示とは別に、前記保留手段に保留されている前記抽選を遊技者に認識させる第２保留表示を表示する第２保留表示手段とを有し、
前記第１保留表示は、前記可動体の動作によって視認困難とされる場合があるが、前記第２保留表示は、前記可動体の動作によって視認困難とされる場合がないものであり、
前記第２保留表示は、前記第１保留表示が表示されていない箇所において、前記第１保留表示とは異なる大きさで表示されるものであり、前記第１保留表示が前記可動体の動作によって視認困難とされても、前記保留手段に保留されている前記抽選の数を前記第２保留表示によって遊技者に通知可能にしたものであり、
さらに、前記可動体は、前記第１保留表示として表示される複数の表示物を視認困難にするものである
ことを特徴とする。
また、別発明として、以下の手段でもよい。
［手段１］
手段１に係る遊技機は、
遊技者の操作によって遊技媒体が打ち込まれる遊技領域と、
該遊技領域の後端を区画し、前後方向へ貫通した開口部を有する板状の遊技パネルと、
該遊技パネルの後側に配置されると共に、前記開口部を通して遊技者側から視認可能に配置され、所定の画像を表示可能な表示パネルを有した演出表示手段と、
前記遊技パネルの前面で前記遊技領域内の所定位置に配置され、遊技媒体を受入可能とされた始動口と、
該始動口への遊技媒体の受入に応じて所定の抽選結果を抽選する抽選手段と、
該抽選手段によって抽選された前記抽選結果を所定時間かけて遊技者に示唆する抽選演出画像を前記演出表示手段に表示させる抽選結果示唆手段と、
該抽選結果示唆手段によって前記演出表示手段に特定の抽選結果が示唆されると、遊技者が有利となる有利遊技状態を発生させる有利遊技状態発生手段と、
該有利遊技状態発生手段による有利遊技状態の発生中、又は、前記抽選結果示唆手段による前記抽選結果の示唆中を含む前記抽選結果示唆手段で前記抽選結果の示唆を開始することができない時に、前記始動口への遊技媒体の受入れに応じて前記抽選手段で抽選された前記抽選結果の示唆を、前記抽選結果示唆手段で示唆の開始が可能となるまで所定数保留する保留手段と、
前記演出表示手段の前記表示パネルに設定された保留数表示領域において、前記保留手段によって保留された前記抽選結果の保留の数に対応させて保留されていることを表す第１保留画像を表示させる保留数表示手段と、
前記遊技パネルと前記演出表示手段の前記表示パネルとの間に配置され、前記抽選結果に応じて前記表示パネルの少なくとも一部を被覆可能とされた可動体と、
を備えた遊技機において、
前記可動体は、前後方向における前記表示パネルの前記保留数表示領域の前方に前記可動体が位置する進出位置を取るときに前記保留数表示領域を遊技者から視認不可能とする保留表示隠蔽部と、
所定の画像を表示可能であって、前記可動体が前記進出位置をとるときに前記所定の画像が遊技者から視認可能とされる画像表示装置と、を備え、
前記画像表示装置は、前記抽選結果の保留の数に対応させて保留されていること及び前記抽選結果に対する期待度を示唆する第２保留画像を表示するものであって、
前記保留数表示領域において前記保留の数に対応した前記第１保留画像が表示されている状態で、
前記可動体が、前記保留数表示領域の前方に位置していない退去位置から可動され、前記保留数表示領域の前方に位置する前記進出位置で可動停止されるときに、
前記画像表示装置に、前記第２保留画像を表示する、ことを特徴とする。
【手続補正書】
【提出日】平成30年7月26日(2018.7.26)
【手続補正１】
【補正対象書類名】特許請求の範囲
【補正対象項目名】請求項１
【補正方法】変更
【補正の内容】
【請求項１】
遊技に関する制御を行う制御手段を備え、
前記制御手段は、
コマンドデータの記憶領域を複数個有し、
複数個のコマンドデータの記憶領域うち、どの記憶領域にコマンドデータを書き込むかを指定するための書込みポインタ値の記憶領域と、
複数個のコマンドデータの記憶領域うち、どの記憶領域のコマンドデータを送信するかを指定するための読込みポインタ値の記憶領域と
を備え、
前記制御手段は、
前記書込みポインタ値に基づいてコマンドデータを書き込む記憶領域を指定し、
指定した記憶領域にコマンドデータが記憶されている場合であっても、その記憶領域にコマンドデータを書き込む処理を実行可能とし、
コマンドデータを書き込む処理を実行した後に、前記書込みポインタ値を更新可能とし、
前記読込みポインタ値に基づいて、コマンドデータを送信する記憶領域を指定し、
コマンドデータを送信するための所定の処理を実行した後に、前記読込みポインタ値を更新可能とする
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、コマンドデータの記憶領域を有する遊技機に関するものである。
【手続補正４】
【補正対象書類名】明細書
【補正対象項目名】０００４
【補正方法】変更
【補正の内容】
【０００４】
本発明が解決しようとする課題は、コマンドデータの制御処理を効率よく行うことである。
【手続補正５】
【補正対象書類名】明細書
【補正対象項目名】０００５
【補正方法】変更
【補正の内容】
【０００５】
本発明は、以下の解決手段によって、上述の課題を解決する。なお、かっこ書きにて、対応する実施形態を示す。
請求項１の発明は、
遊技に関する制御を行う制御手段（メイン制御手段５０）を備え、
前記制御手段は、
コマンドデータの記憶領域（バッファ領域７４）を複数個有し、
複数個のコマンドデータの記憶領域うち、どの記憶領域にコマンドデータを書き込むかを指定するための書込みポインタ値の記憶領域（書込みポインタ７４ａ）と、
複数個のコマンドデータの記憶領域うち、どの記憶領域のコマンドデータを送信するかを指定するための読込みポインタ値の記憶領域（読込みポインタ７４ｂ）と
を備え、
前記制御手段は、
前記書込みポインタ値に基づいてコマンドデータを書き込む記憶領域を指定し、
指定した記憶領域にコマンドデータが記憶されている場合であっても、その記憶領域にコマンドデータを書き込む処理を実行可能とし、
コマンドデータを書き込む処理を実行した後に、前記書込みポインタ値を更新可能とし、
前記読込みポインタ値に基づいて、コマンドデータを送信する記憶領域を指定し、
コマンドデータを送信するための所定の処理を実行した後に、前記読込みポインタ値を更新可能とする
ことを特徴とする。
【手続補正６】
【補正対象書類名】明細書
【補正対象項目名】０００６
【補正方法】変更
【補正の内容】
【０００６】
本発明によれば、コマンドデータの制御処理を効率よく行うことができる。
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
長手軸に沿って設けられ、かつ、少なくとも一部が前記長手軸に沿って延びる磁場を発生させるように構成される１つ又は複数の磁石；
前記長手軸へ向かうように放射線ビームを案内するように構成される線形粒子加速器（ライナック）；及び、
前記磁場から前記ライナックを遮蔽するように構成される遮蔽体；
を有するシステムであって、
前記遮蔽体は少なくとも第１シェルと第２シェルを有し、
前記第２シェルは、前記第１シェルの内部に位置し、かつ、前記第１シェルより高い透磁率を有し、
前記第１シェルと前記第２シェルは少なくとも部分的に前記ライナックを取り囲む、
システム。
【請求項２】
前記第２シェルは、前記第１シェルより低い飽和磁束密度を有する、請求項１に記載のシステム。
【請求項３】
前記第２シェルは、ミューメタルを含む、請求項１に記載のシステム。
【請求項４】
前記第１シェル及び前記第２シェルは、異なる鋼から形成される、請求項１に記載のシステム。
【請求項５】
前記第１シェルが少なくとも部分的に前記ライナックと前記第2シェルを取り囲む、請求項１に記載のシステム。
【請求項６】
前記ライナックによって発生するＲＦ放射から前記１つ又は複数の磁石を遮蔽するように構成されるＲＦ遮蔽体をさらに有し、前記ＲＦ遮蔽体は、前記ライナックのいくつか又は全ての構成要素を少なくとも部分的に取り囲み、前記ＲＦ遮蔽体は、ＲＦ吸収材料及び／又はＲＦ反射材料の１つ又は複数の層を有する、請求項１に記載のシステム。
【請求項７】
磁場を発生させるように構成される磁気共鳴撮像システム；
線形加速器；
前記磁場から前記線形加速器を遮蔽するように構成される外側磁気遮蔽体；及び
前記外側磁気遮蔽体の少なくとも部分的に内側の内側磁気遮蔽体；
を有するシステムであって、
前記内側磁気遮蔽体は、前記外側磁気遮蔽体より高い透磁率を有する、
システム。
【請求項８】
前記内側磁気遮蔽体は、前記外側磁気遮蔽体より低い飽和磁束密度を有する、請求項７に記載のシステム。
【請求項９】
前記内側磁気遮蔽体は、ミューメタルを含む、請求項７に記載のシステム。
【請求項１０】
前記外側磁気遮蔽体及び前記内側磁気遮蔽体は、異なる鋼から形成される、請求項７に記載のシステム。
【請求項１１】
前記外側磁気遮蔽体が少なくとも部分的に前記線形加速器と前記内側磁気遮蔽体を取り囲む、請求項７に記載のシステム。
【請求項１２】
前記線形加速器によって発生するＲＦ放射から前記磁気共鳴撮像システムを遮蔽するように構成されるＲＦ遮蔽体をさらに有し、前記ＲＦ遮蔽体は、前記線形加速器のいくつか又は全ての構成要素を少なくとも部分的に取り囲み、前記ＲＦ遮蔽体は、ＲＦ吸収材料及び／又はＲＦ反射材料の１つ又は複数の層を有する、請求項７に記載のシステム。
【請求項１３】
長手軸に沿って設けられ、かつ、少なくとも一部が前記長手軸に沿って延びる磁場を発生させるように構成される１つ又は複数の磁石；
前記長手軸へ向かうように放射線ビームを案内するように構成される線形粒子加速器（ライナック）；
前記磁場から前記ライナックを遮蔽するように構成される遮蔽体であって、前記遮蔽体は少なくとも第１シェルと第２シェルを有し、前記第２シェルは、前記第１シェルの内部に位置し、前記第１シェルと前記第２シェルは少なくとも部分的に前記ライナックを取り囲む、遮蔽体；及び
前記ライナックによって発生するＲＦ放射から前記１つ又は複数の磁石を遮蔽するように構成されるＲＦ遮蔽体であって、前記ＲＦ遮蔽体は、前記ライナックのいくつか又は全ての構成要素を少なくとも部分的に取り囲む、ＲＦ遮蔽体；
を有する、システム。
【請求項１４】
前記ＲＦ遮蔽体は、ＲＦ吸収材料及びＲＦ反射材料のうちの少なくとも一で形成される層を有する、請求項１３に記載のシステム。
【請求項１５】
前記ＲＦ遮蔽体は、ＲＦ反射材料の少なくとも１つの層とＲＦ吸収材料の１つの層とを有する、請求項１３に記載のシステム。
【請求項１６】
前記ＲＦ遮蔽体は、銅ホイル、アルミニウムホイル、又は炭素ファイバーを含む、請求項１３に記載のシステム。
【請求項１７】
前記ＲＦ遮蔽体は、前記ＲＦ遮蔽体を通って延びる１つ又は複数のスロットを有する、請求項１３に記載のシステム。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
前面側を遊技球が流下可能な遊技盤と、前記遊技盤に設けられ、遊技球が入球可能な入賞口を有する入球ユニットとを備えた遊技機において、
前記入球ユニットの前側には遊技領域を背部領域として形成するカバー部が設けられ、
前記カバー部の盤面側には前記遊技球の流通を案内する流通案内手段が設けられ、
前記流通案内手段として、遊技球の流路を分岐させる非可動の固定部材として設けられ前記入賞口へと向かうように遊技球を転動させる傾斜面を有する分岐部を備え、該分岐部によって、前記入賞口に流通可能な第１流路と前記入賞口に流通しない第２流路とに遊技球が分岐されるようになっており、
前記カバー部は、該カバー部の盤面側の遊技領域を流通する遊技球を視認可能に透明に構成されており、
前記カバー部の盤面側には遊技釘が設けられておらず、前記流通案内手段によってのみ遊技球の流通が案内されるようになっており、
前記分岐部の前記傾斜面に到達した遊技球が該傾斜面を前記入賞口へと向かうように転動したとき、前記開閉部材が開放状態にある場合には必ず該開閉部材によって前記入賞口へと案内される
ことを特徴とする遊技機。
【手続補正２】
【補正対象書類名】明細書
【補正対象項目名】０００４
【補正方法】変更
【補正の内容】
【０００４】
ところで、上述した従来の遊技機では、遊技領域に設けられる入賞口ユニットとして遊技興趣の低下を抑制する新たなものが望まれている実情にある。
【手続補正３】
【補正対象書類名】明細書
【補正対象項目名】０００５
【補正方法】変更
【補正の内容】
【０００５】
本発明は上記の実情に鑑み、遊技興趣の低下を抑制することが可能な遊技機の提供を課題とするものである。
【手続補正４】
【補正対象書類名】明細書
【補正対象項目名】０００６
【補正方法】変更
【補正の内容】
【０００６】
本願発明は、前面側を遊技球が流下可能な遊技盤と、前記遊技盤に設けられ、遊技球が入球可能な入賞口を有する入球ユニットとを備えた遊技機において、
前記入球ユニットの前側には遊技領域を背部領域として形成するカバー部が設けられ、
前記カバー部の盤面側には前記遊技球の流通を案内する流通案内手段が設けられ、
前記流通案内手段として、遊技球の流路を分岐させる非可動の固定部材として設けられ前記入賞口へと向かうように遊技球を転動させる傾斜面を有する分岐部を備え、該分岐部によって、前記入賞口に流通可能な第１流路と前記入賞口に流通しない第２流路とに遊技球が分岐されるようになっており、
前記カバー部は、該カバー部の盤面側の遊技領域を流通する遊技球を視認可能に透明に構成されており、
前記カバー部の盤面側には遊技釘が設けられておらず、前記流通案内手段によってのみ遊技球の流通が案内されるようになっており、
前記分岐部の前記傾斜面に到達した遊技球が該傾斜面を前記入賞口へと向かうように転動したとき、前記開閉部材が開放状態にある場合には必ず該開閉部材によって前記入賞口へと案内される
ことを特徴とする遊技機。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明によれば、遊技興趣の低下を抑制することが可能となる。
【手続補正書】
【提出日】平成30年11月19日(2018.11.19)
【手続補正１】
【補正対象書類名】明細書
【補正対象項目名】０２９２
【補正方法】変更
【補正の内容】
【０２９２】
本明細書に言及された全ての刊行物、特許、及び特許出願は、各々の個々の刊行物、特許、又は特許出願が、その全体として引用により具体的かつ個別に組み込まれることが示される場合と同じ程度に、引用により本明細書中に組み込まれる。
本件出願は、以下の構成の発明を提供する。
（構成１）
対象における低回転型骨障害を治療する方法であって、治療有効量のActRIIインヒビターを、該低回転型骨障害の治療を必要とする対象に投与することを含む、前記方法。
（構成２）
対象における低回転型骨障害形態のCKD-MBDを治療する方法であって、治療有効量のActRIIインヒビターを、該低回転型骨障害形態のCKD-MBDの治療を必要とする対象に投与することを含む、前記方法。
（構成３）
前記低回転型骨障害が、石灰化した骨へのテトラサイクリン取込みの欠如を特徴とする、構成1又は2記載の方法。
（構成４）
対象における低骨代謝回転形態のCKD-MBDを治療する方法であって、治療有効量のActRIIインヒビターを、該低骨代謝回転形態のCKD-MBDの治療を必要とする対象に投与することを含む、前記方法。
（構成５）
前記低骨代謝回転形態のCKD-MBDが骨軟化症である、構成4記載の方法。
（構成６）
対象における高リン血症を特徴とする骨障害を治療する方法であって、治療有効量のActRIIインヒビターを、該高リン血症を特徴とする骨障害の治療を必要とする対象に投与することを含む、前記方法。
（構成７）
対象における血管石灰化を治療する方法であって、治療有効量のActRIIインヒビターを、アテローム性動脈硬化性石灰化の治療を必要とする対象に投与することを含む、前記方法。
（構成８）
対象における腎疾患を治療する方法であって、治療有効量のActRIIインヒビターを、該腎疾患の治療を必要とする対象に投与することを含む、前記方法。
（構成９）
前記腎疾患が腎線維症である、構成8記載の方法。
（構成１０）
血管石灰化を有すると診断された対象における血管内カルシウムレベルを低下させる方法であって、治療有効量のActRIIインヒビターを該対象に投与することを含む、前記方法。
（構成１１）
前記ActRIIインヒビターが:
a.配列番号2と90％同一のもの;
b.配列番号2と95％同一のもの;
c.配列番号2と98％同一のもの;
d.配列番号2;
e.配列番号3と90％同一のもの;
f.配列番号3と95％同一のもの;
g.配列番号3と98％同一のもの;
h.配列番号3;
i.配列番号6と90％同一のもの;
j.配列番号6と95％同一のもの;
k.配列番号6と98％同一のもの;
l.配列番号6;
m.配列番号7と90％同一のもの;
n.配列番号7と95％同一のもの;
o.配列番号7と98％同一のもの;
p.配列番号7;
q.配列番号12と90％同一のもの;
r.配列番号12と95％同一のもの;
s.配列番号12と98％同一のもの;
t.配列番号12;
u.配列番号17と90％同一のもの;
v.配列番号17と95％同一のもの;
w.配列番号17と98％同一のもの;
x.配列番号17;
y.配列番号20と90％同一のもの;
z.配列番号20と95％同一のもの;
aa.配列番号20と98％同一のもの;
bb.配列番号20;
cc.配列番号21と90％同一のもの;
dd.配列番号21と95％同一のもの;
ee.配列番号21と98％同一のもの;
ff.配列番号21
gg.配列番号23と90％同一のもの;
hh.配列番号23と95％同一のもの;
ii.配列番号23と98％同一のもの;
jj.配列番号23
kk.配列番号25と90％同一のもの;
ll.配列番号25と95％同一のもの;
mm.配列番号25と98％同一のもの;及び
nn.配列番号25
からなる群から選択されるアミノ酸配列を含むポリペプチドである、構成1、2、4、6、7、8、又は10記載の方法。
（構成１２）
前記ActRIIインヒビターが、配列番号7のアミノ酸配列を含むポリペプチドである、構成1、2、4、6、7、8、又は10記載の方法。
（構成１３）
前記ActRIIインヒビターが非経口投与される、構成1、2、4、6、7、8、又は10記載の方法。
（構成１４）
前記対象が18歳未満である、構成1、2、4、6、7、8、又は10記載の方法。
（構成１５）
前記対象の身長を増加させる、構成1、2、4、6、7、8、又は10記載の方法。
（構成１６）
前記対象が末期腎疾患を有する、構成1、2、4、6、7、8、又は10記載の方法。
（構成１７）
前記対象が透析を受けている、構成1、2、4、6、7、8、又は10記載の方法。
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
（Ａ）アルキル基の炭素数が１〜１８の（メタ）アクリル酸アルキルエステル６０〜９９．５重量％、
（Ｂ）カルボキシル基及び／又は水酸基を有する官能基含有不飽和単量体０．５〜１２重量％、
（Ｃ）前記（Ａ）、（Ｂ）と共重合可能な不飽和単量体０〜３９．５重量％
を含むモノマー成分を共重合して得られる水分散型（メタ）アクリル系共重合体の固形分１００重量部と、
軟化点が１１５℃を超える粘着付与剤１０〜５０重量部、
を含有する水分散型粘着剤組成物から形成される粘着剤層を含み、
鉱物油、植物油、および動物油から選ばれる１種以上の油分が付着している被着体表面に貼付することを特徴とする粘着シート。
【請求項２】
前記水分散型（メタ）アクリル系共重合体は、前記モノマー成分を水中で共重合して得られる、ｐＨが７〜９の水分散型（メタ）アクリル系共重合体であることを特徴とする請求項１記載の粘着シート。
【請求項３】
前記（メタ）アクリル酸アルキルエステル（Ａ）中、アルキル基の炭素数が７〜１８の（メタ）アクリル酸アルキルエステルの含有量が２５重量％以上であることを特徴とする、請求項１または２に記載の粘着シート。
【請求項４】
前記（メタ）アクリル酸アルキルエステル（Ａ）中、アルキル基の炭素数が７〜１８の（メタ）アクリル酸アルキルエステルの含有量が４０重量％以上であることを特徴とする、請求項１〜３のいずれかに記載の粘着シート。
【請求項５】
前記（メタ）アクリル系共重合体を、動粘度が２〜１０ｍｍ２／ｓである鉱物油系の防錆油に、２時間浸漬させた後の膨潤度が１５０％以上であることを特徴とする、請求項１〜４のいずれかに記載の粘着シート。
【請求項６】
前記粘着付与剤が、ロジン系樹脂および／またはロジン系誘導体樹脂であることを特徴とする、請求項１〜５のいずれかに記載の粘着シート。
【請求項７】
表面に前記油分が付着している被着体、及び、請求項１〜６のいずれかに記載の粘着シートを含有してなり、
前記被着体の油分が付着している表面に、前記粘着シートの粘着剤層が貼付していることを特徴とする、積層体。
【請求項８】
前記被着体が、表面に前記油分が付着した金属鋼板であることを特徴とする、請求項７に記載の積層体。
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
不飽和脂肪酸系成分（Ａ）、酸化促進触媒（Ｂ）、光ラジカル開始剤（Ｃ）及びポリオール（Ｄ）を含み、
前記不飽和脂肪酸系成分（Ａ）は、天然から得られる不飽和脂肪酸または不飽和脂肪酸由来成分であり、
前記酸化促進触媒（Ｂ）は、塗膜固形分中２０〜２０００ｐｐｍであり、
前記ポリオール（Ｄ）は、ポリエステルポリオール、ポリカーボネートポリオール、ポリエーテルポリオールまたはそれらのウレタン鎖伸長ポリオールから選ばれる少なくとも１種である
ことを特徴とする酸素吸収性付与ラミネート接着剤。
【請求項２】
不飽和脂肪酸系成分（Ａ）、酸化促進触媒（Ｂ）、光ラジカル開始剤（Ｃ）及びポリオール（Ｄ）を含み、
前記不飽和脂肪酸系成分（Ａ）は、炭素−炭素二重結合とカルボキシ基またはグリセリドとの間の炭素数が６以上の不飽和脂肪酸または不飽和脂肪酸由来成分であり、
前記酸化促進触媒（Ｂ）は、塗膜固形分中２０〜２０００ｐｐｍであり、
前記ポリオール（Ｄ）は、ポリエステルポリオール、ポリカーボネートポリオール、ポリエーテルポリオールまたはそれらのウレタン鎖伸長ポリオールから選ばれる少なくとも１種である
ことを特徴とする酸素吸収性付与ラミネート接着剤。
【請求項３】
前記不飽和脂肪酸系成分（Ａ）が、ひまし油から得られることを特徴とする請求項１又は２に記載の酸素吸収性付与ラミネート接着剤。
【請求項４】
請求項１〜３に記載の酸素吸収性付与ラミネート接着剤と硬化剤（Ｅ）とを備え、
前記硬化剤（Ｅ）は、キシレンジイソシアネート、ヘキサメチレンジイソシアネート、イソホロンジイソシアネートまたはこれらの誘導体から選ばれるポリイソシアネートを含むことを特徴とする酸素吸収性付与ラミネート接着剤。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
Ｓｉ原子の総モル数に対して、５〜５０モル％のシラノール基を含む、シリコーンレジンと、
ポリエステル樹脂またはシリル基を有さないアクリル樹脂を含むバインダ樹脂と、
を含み、
前記シリコーンレジンおよび前記バインダ樹脂はそれぞれ有機溶剤に溶解または分散しており、
前記シリコーンレジンは、Ｓｉ原子の総モル数に対して、トリアルコキシシラン由来のＳｉ原子を５０〜１００モル％含む、
塗装金属板用塗料。
【請求項２】
前記シリコーンレジンは、Ｓｉ原子に直接結合するアルキル基のモル数に対する、Ｓｉ原子に直接結合するアリール基のモル数の割合が２０〜８０％である、
請求項１に記載の塗装金属板用塗料。
【誤訳訂正書】
【提出日】平成29年12月21日(2017.12.21)
【誤訳訂正１】
【訂正対象書類名】特許請求の範囲
【訂正対象項目名】全文
【訂正方法】変更
【訂正の内容】
【特許請求の範囲】
【請求項１】
それぞれ異なる比例尺度に対応する異なるレベルの地図データから選択される、１つのレベルの地図データに基づく地図を表示する際の、地図ラベルのためのローディング方法であって、
地図を拡大する命令に応答して、拡大された後の前記地図の比例尺度に対応する１つのレベルを特定するステップと、
拡大された後の前記地図の特定した前記１つのレベルに基づいて、前記地図の前記１つのレベルに対応する前記現在視認可能なエリアにおいて、拡大される前に表示されていた別の１つのレベルの前記地図に対し、新たに追加された関心地点を検索するステップと、
ラベル付けされたアイコンに関して、前記現在視認可能なエリアにおいて、拡大される前に表示されていた前記別の１つのレベルの前記地図の元の関心地点のラベルの相対位置及び方向を引き継ぐステップと、
前記新たに追加された関心地点のラベルに関する衝突検出及びローディングを実行するステップと
を含むことを特徴とする方法。
【請求項２】
前記新たに追加された関心地点の前記ラベルの表示よりも、前記元の関心地点の前記ラベルの表示を優先付けするステップを更に含むことを特徴とする、請求項１に記載のローディング方法。
【請求項３】
表示のために前記現在視認可能なエリアにロードされた後の前記新たに追加された関心地点の前記ラベルを、フェードインするステップを更に含むことを特徴とする、請求項１に記載のローディング方法。
【請求項４】
ラベル付けされたアイコンに関して、前記現在視認可能なエリアにおいて、拡大される前の前記地図の前記元の関心地点の前記ラベルの前記相対位置及び方向を引き継ぐことにより、前記ラベルが、拡大された後の前記地図の前記視認可能なエリアから見えなくなってしまう場合、前記ラベルの前記位置を順応して変更して、拡大された後の前記地図の前記視認可能なエリアにおいて該ラベルが見えるようにするステップを更に含むことを特徴とする、請求項１に記載のローディング方法。
【請求項５】
前記位置が変更される必要がある前記ラベルが道路名であるとき、前記ラベルの前記表示位置が、前記道路に沿って調節されて、拡大された後の前記地図の前記視認可能なエリアにおいて該ラベルが見えるようにすることを特徴とする、請求項４に記載のローディング方法。
【請求項６】
それぞれ異なる比例尺度に対応する異なるレベルの地図データから選択される、１つのレベルの地図データに基づく地図を表示する際に用いられる、地図ラベルのためのローディング装置であって、
地図を拡大する命令に応答して、拡大された後の前記地図の比例尺度に対応する１つのレベルを特定するモジュールと、拡大された後の前記地図の特定した前記１つのレベルに基づいて、前記地図の前記１つのレベルに対応する前記現在視認可能なエリアにおいて、拡大される前に表示されていた別の１つのレベルの前記地図に対し、新たに追加された関心地点を検索するモジュールと、を含む検索ユニットと、
前記現在視認可能なエリアにおいて、拡大される前に表示されていた前記別の１つのレベルの前記地図の元の関心地点のラベルの相対位置及び方向を引き継ぐユニットと、
前記新たに追加された関心地点のラベルに関する衝突検出及びローディングを実行するユニットと
を備えることを特徴とする、装置。
【請求項７】
前記新たに追加された関心地点の前記ラベルの表示よりも、前記元の関心地点の前記ラベルの表示を優先付けするユニットを更に備えることを特徴とする、請求項６に記載のローディング装置。
【請求項８】
表示のために前記現在視認可能なエリアにロードされた後の前記新たに追加された関心地点の前記ラベルを、フェードインするユニットを更に備えることを特徴とする、請求項６に記載のローディング装置。
【請求項９】
前記現在視認可能なエリアにおいて、拡大される前に表示されていた前記別の１つのレベルの前記地図の元の関心地点のラベルの前記相対位置及び方向を引き継ぐ前記ユニットは、ラベル付けされたアイコンに関して、前記現在視認可能なエリアにおいて、拡大される前の前記地図の前記元の関心地点の前記ラベルの前記相対位置及び方向を引き継ぐことにより、前記ラベルが、拡大された後の前記地図の前記視認可能なエリアから見えなくなってしまうことを特定し、その場合、前記ラベルの前記位置が順応して変更されて、拡大された後の前記地図の前記視認可能なエリアにおいて該ラベルが見えるようにされることを特徴とする、請求項６に記載のローディング装置。
【請求項１０】
前記位置が変更される必要がある前記ラベルが道路名であるとき、前記ラベルの前記表示位置が、前記道路に沿って調節されて、拡大された後の前記地図の前記視認可能なエリアにおいて該ラベルが見えるようにされることを特徴とする、請求項９に記載のローディング装置。
【誤訳訂正２】
【訂正対象書類名】明細書
【訂正対象項目名】００２５
【訂正方法】変更
【訂正の内容】
【００２５】
任意選択により、地図を拡大する命令に応答して、拡大される前の地図に対し、拡大された後の地図の現在視認可能なエリアにおける、複数の新たに追加された関心地点を検索するステップは以下を含む。
−  地図を拡大する命令に応答して、拡大された後の地図の１つのレベルが特定される。すなわち、地図が拡大された後の対応する１つの比例尺度に従って、地図の１つのレベルが特定され、例えば、１つの対応するルールに従えば、１００（メートル）：１の比例尺度に対応する地図の上記の１つのレベルは第３のレベルであり、５０（メートル）：１の比例尺度に対応する地図の上記の１つのレベルは第４のレベルである。ここで、異なる複数のレベルに対応するルール、及び異なる複数の比例尺度によって規定されるルールは、限定されない。
−  拡大された後の地図の特定された上記の１つのレベルに基づいて、且つ、拡大される前の地図に対し、地図の上記の１つのレベルに対応する現在視認可能なエリアにおける、複数の新たに追加された関心地点が検索される。上記説明したように、同一のレイヤにおける異なる複数のレベルの地図データは、包含し合う／され合う関係を有し、拡大された後の地図に対応するレベルの１つの地図データは通常、拡大される前の地図に対応する１つのレベルのデータを包含する。
【誤訳訂正３】
【訂正対象書類名】明細書
【訂正対象項目名】００４６
【訂正方法】変更
【訂正の内容】
【００４６】
任意選択により、地図を拡大する命令に応答して、拡大される前の地図に対し、拡大された後の地図の現在視認可能なエリアにおける、新たに追加された関心地点を検索するユニット４０１は、
地図を拡大する命令に応答して、拡大された後の地図の１つのレベルを特定するモジュール（図示せず）と、
拡大された後の地図の特定した上記の１つのレベルに基づいて、地図の上記の１つのレベルに対応する現在視認可能なエリアにおいて、拡大される前の地図に対し、新たに追加された関心地点を検索するモジュール（図示せず）と
を備える。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
現像剤を内部に収容した現像剤補給容器と、
前記現像剤補給容器から供給された現像剤が、補給口より流入する撹拌室と、
前記撹拌室の内側に凸設される凸設部であって、前記補給口と隣接する上向きの面を含み、該上向きの面は、水平面、または前記撹拌室の内側へ向けて傾斜する面である凸設部と、
前記撹拌室内部の現像剤を撹拌し、現像剤を撹拌する動作中に前記凸設部の前記上向きの面と当接する撹拌部材と、
を有することを特徴とする現像装置。
【請求項２】
請求項１に記載の現像装置を搭載する画像形成装置。
【手続補正２】
【補正対象書類名】明細書
【補正対象項目名】０００７
【補正方法】変更
【補正の内容】
【０００７】
前記目的を達成するために、本発明は、現像剤を内部に収容した現像剤補給容器と、前記現像剤補給容器から供給された現像剤が、補給口より流入する撹拌室と、前記撹拌室の内側に凸設される凸設部であって、前記補給口と隣接する上向きの面を含み、該上向きの面は、水平面、または前記撹拌室の内側へ向けて傾斜する面である凸設部と、前記撹拌室内部の現像剤を撹拌し、現像剤を撹拌する動作中に前記凸設部の前記上向きの面と当接する撹拌部材と、によって現像装置を構成している。
【手続補正書】
【提出日】平成30年8月7日(2018.8.7)
【手続補正１】
【補正対象書類名】特許請求の範囲
【補正対象項目名】請求項２４
【補正方法】変更
【補正の内容】
【請求項２４】
前記受信手段により前記所定のリクエストに対するレスポンスとして所定のレスポンスを受信した場合、前記送信手段は前記通信装置に新たな所定のリクエストを受信しないことを特徴とする請求項１５乃至２３のいずれか１項に記載の情報処理装置。
【手続補正２】
【補正対象書類名】特許請求の範囲
【補正対象項目名】請求項２５
【補正方法】変更
【補正の内容】
【請求項２５】
前記通信装置のステータス情報は、前記通信装置のバッテリ情報を含むことを特徴とする請求項１５乃至２４のいずれか１項に記載の情報処理装置。
【手続補正３】
【補正対象書類名】特許請求の範囲
【補正対象項目名】請求項２６
【補正方法】変更
【補正の内容】
【請求項２６】
前記通信装置のステータス情報は、前記通信装置がパワーセーブモードに移行することを示す情報を含むことを特徴とする請求項１５乃至２５のいずれか１項に記載の情報処理装置。
【手続補正４】
【補正対象書類名】特許請求の範囲
【補正対象項目名】請求項２７
【補正方法】変更
【補正の内容】
【請求項２７】
前記通信装置のステータス情報は、前記通信装置が前記情報処理装置との通信を終了することを示す情報を含むことを特徴とする請求項１５乃至２６のいずれか１項に記載の情報処理装置。
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
物体を撮像する撮像部と、
前記撮像部による撮像で得られた画像データに基づく前記物体を含む画像を表示する表示部と、
前記表示部において前記画像が表示されている領域への操作によって前記物体の動作に関する情報を受け付ける受付部と、
前記受付部により受け付けた前記情報を前記物体へ送信する通信部と、
を備える携帯機器。
【請求項２】
前記表示部は、前記物体を含む画像に、前記物体が動作できる部分を示す画像を重畳して表示する請求項１に記載の携帯機器。
【請求項３】
前記受付部は、前記表示部に表示されている前記物体が動作できる部分を示す画像の領域への操作によって前記物体の動作に関する情報を受付ける請求項２に記載の携帯機器。
【手続補正書】
【提出日】平成30年5月18日(2018.5.18)
【手続補正１】
【補正対象書類名】明細書
【補正対象項目名】００８７
【補正方法】変更
【補正の内容】
【００８７】
・イミダゾール化合物［Ｃ］
［Ｃ］−１  “キュアゾール”（登録商標）１Ｂ２ＭＺ（イミダゾール環当量：１７２、１−ベンジル−２−メチルイミダゾール、一般式(Ｉ)において、Ｒ１がベンジル基、Ｒ２がメチル基、Ｒ３およびＲ４が水素原子である化合物、四国化成工業(株)製）
［Ｃ］−２  Ｇ−８００９Ｌ（イミダゾール環当量：１９５、一般式(ＩＩＩ)において、Ｒ９およびＲ１１がエチル基、Ｒ１０およびＲ１２がメチル基、Ｚがヘキサメチレン基である化合物、第一工業製薬（株）製）
［Ｃ］−３  “キュアダクト”（登録商標）Ｐ−０５０５（イミダゾール環当量：２８０、一般式（ＩＩ）において、Ｒ５およびＲ７がエチル基、Ｒ６およびＲ８がメチル基、Ｙがイソプロピリデン基である化合物、四国化成工業(株)製）
［Ｃ］−４  “キュアゾール”（登録商標）２ＰＺ（イミダゾール環当量：１４４、２−フェニルイミダゾール、四国化成工業(株)製）
［Ｃ］−５  “キュアゾール”（登録商標）２Ｅ４ＭＺ（イミダゾール環当量：１１０、２−エチル−４−メチルイミダゾール、四国化成工業(株)製）。